【事件の表示】
　特願２００３−　１５６８９「写真プリント供給装置および方法ならびにプログラム」拒絶査定不服審判事件〔平成１６年　８月１２日出願公開、特開２００４−２２６７７９〕について、次のとおり審決する。
【結　論】
　本件審判の請求は、成り立たない。
【理　由】
１．手続の経緯 
　本願は、平成１５年１月２４日の出願であって、平成１７年９月２８日付けで拒絶査定がなされ、この拒絶査定に対して平成１７年１１月２４日に審判請求がなされるとともに、平成１７年１２月２１日付けで手続補正がなされ、その後、早期審理の申請がなされたものである。
　
２．平成１７年１２月２１日付け手続補正についての補正却下の決定
[補正却下の決定の結論]
　平成１７年１２月２１日付け手続補正を却下する。
[理由１］新規事項追加
（１）補正後の本願発明
　平成１７年１２月２１日付け手続補正（以下「本件補正」という。）により、特許請求の範囲の請求項１は、
「撮影空間の被写体を撮影する撮影手段と、上記撮影空間とはそれぞれ別個に存在させた複数の編集空間にそれぞれ設けられ、上記撮影手段により生成された撮影画像を表示するとともに、使用者により編集入力された手書き画像を受け付ける複数のディスプレイと、上記各ディスプレイにおける撮影画像に対する手書き画像の編集入力を可能とする一連の編集プレイ提供処理および上記撮影画像と手書き画像を合成して合成画像を生成する合成処理を実行する制御手段と、上記合成画像を印刷媒体に印刷して写真プリントとして出力するプリンタとを備え、上記制御手段は、上記撮影終了後複数のディスプレイそれぞれの前に移動する同じグループの利用者に対するよう、上記複数のディスプレイのそれぞれに対してほぼ同時に上記一連の編集プレイ提供処理を開始させる第１の動作と、上記撮影終了後複数のディスプレイのうちいずれかのディスプレイに案内により誘導される異なるグループの利用者に対するよう、上記複数のディスプレイのうち案内により誘導されたディスプレイに対して上記一連の編集プレイ提供処理を開始させる第２の動作とのいずれかの動作を選択的に実行可能に構成されていることを特徴とする写真プリント供給装置。」（以下「本願補正発明」という。）
と補正された。
（２）補正事項　
　本件補正による
イ．「「上記各ディスプレイにおける撮影画像に対する手書き画像の編集入　　力を可能とする一連の編集プレイ提供処理」を「実行する制御手段」」　　（以下「補正１」という。）
ロ．「上記撮影終了後複数のディスプレイそれぞれの前に移動する同じグル　　ープの利用者に対するよう、上記複数のディスプレイのそれぞれに対し　　てほぼ同時に上記一連の編集プレイ提供処理を開始させる第１の動作」　　（以下「補正２」）という。）
ハ．「上記撮影終了後複数のディスプレイのうちいずれかのディスプレイに　　案内により誘導される異なるグループの利用者に対するよう、上記複数　　のディスプレイのうち案内により誘導されたディスプレイに対して上記　　一連の編集プレイ提供処理を開始させる第２の動作」（以下「補正３」　　という。）
の補正１乃至３が新規事項を追加するものか否かを検討する。
　
（３）補正事項に関連する明細書又は図面の記載事項　
　本願の願書に最初に添付された明細書又は図面（以下「当初明細書」という。）には、上記補正に関連して、以下の事項が記載されている。なお、下線は当審で付した。
　記載１
「【請求項１】撮影領域において被写体を撮影する撮影手段と、上記撮影手段により生成された撮影画像を表示するとともに、使用者により入力された手書き画像等を受け付ける複数のディスプレイと、上記撮影画像と手書き画像等を合成して合成画像を生成する合成手段と、上記合成画像を印刷媒体に印刷して写真プリントとして出力するプリンタとを備えた写真プリント供給装置であって、上記複数のディスプレイの表示画面の向きが異なった方向に向けられていることを特徴とする写真プリント供給装置。」　
　記載２
「【請求項１８】（略）上記遮蔽部材が除去された状態のままで複数の利用者が同時に複数のディスプレイに手書き画像等を入力できる第１動作プログラムと、上記遮蔽部材が存置された状態のままで複数の利用者が同時または相前後して複数のディスプレイに手書き画像等を入力できる第２動作プログラム（略）ことを特徴とする写真プリント供給装置。」
　記載３
「【０００４】
　（略）また、上記筐体５０の内部には、上記カメラ５６から画像データを受信して画像合成等の処理を行なうコンピュータ装置５８が設けられている。また、上記筐体５０の被写体Ｍ側には、上記コンピュータ装置５８から送信された合成画像等の画像信号を受信して画像を表示するディスプレイ５９が設けられている。」
　記載４
「【００２８】
　上記の目的を達成するため、本発明の写真プリント供給装置は、撮影領域において被写体を撮影する撮影手段と、上記撮影手段により生成された撮影画像を表示するとともに、使用者により入力された手書き画像等を受け付ける複数のディスプレイと、上記撮影画像と手書き画像等を合成して合成画像を生成する合成手段と、上記合成画像を印刷媒体に印刷して写真プリントとして出力するプリンタとを備えた写真プリント供給装置であって、上記複数のディスプレイの表示画面の向きが異なった方向に向けられ、上記複数のディスプレイのあいだに着脱または開閉可能な遮蔽部材が配置され、上記遮蔽部材が除去された状態のままで複数の利用者が同時に複数のディスプレイに手書き画像等を入力できる第１動作プログラムと、上記遮蔽部材が存置された状態のままで複数の利用者が同時または相
前後して複数のディスプレイに手書き画像等を入力できる第２動作プログラムとが、写真プリント供給装置を動作させるコンピュータ装置に設けられ、上記第１および第２動作プログラムを選択する選択手段が設けられていることを要旨とする。」
　記載５
「【００２９】
　すなわち、上記複数のディスプレイの表示画面の向きが異なった方向に向けられ、上記複数のディスプレイのあいだに着脱または開閉可能な遮蔽部材が配置され、上記遮蔽部材が除去された状態のままで複数の利用者が同時に複数のディスプレイに手書き画像等を入力できる第１の動作プログラムと、上記遮蔽部材が存置された状態のままで複数の利用者が同時または相前後して複数のディスプレイに手書き画像等を入力できる第２の動作プログラムとが、写真プリント供給装置を動作させるコンピュータ装置に設けられ、上記第１および第２動作プログラムを選択する選択手段が設けられている。」
　記載６
「【００４０】
　この写真プリント供給装置は、図１に示すように、正面や内部に各種の装置が設けられた筐体１を備え、上記筐体１の正面側（図１の右側）で撮影プレイを行ない、背面側（図１の左側）で撮影画像の編集プレイを行うようになっている。」
　記載７
「【００４３】
　上記筐体１の正面には、プレイの対価としての硬貨を投入する硬貨投入口１５が設けられ、この硬貨投入口１５の近傍に設けられた対価受領部としての硬貨検出部１６が設けられている。そして、上記硬貨検出部１６が投入された硬貨を検出することにより、撮影プレイが開始され、撮影プレイ後に撮影画像に対して編集プレイを行い、編集された撮影画像がプリントされ提供されるようになっている。」
　記載８
「【００５２】
　また、筐体１内には、写真プリント供給装置全体を動作させるコンピュータ装置２１が収容されていて、後述の編集プレイに必要な撮影画像の読み出しや、撮影画像と手書き画像との画像合成等において機能するようになっている。」
　記載９
「【００５５】
　（略）この編集入力パネル２３ａ，２３ｂには、それぞれ編集用のディスプレイ２５ａ，２５ｂが配置されていて、上記ディスプレイ２５ａ，２５ｂの表示画面３０ａ，３０ｂに映し出された撮影画像に、タッチペン２９ａ，２９ｂを用いて手書き画像を入力したり、スタンプ画像を選定して入力したりして、編集プレイがなされるようになっている。このようにして編集された各種の画像はコンピュータ装置２１においてデータ上の合成がなされる。（略）」
　記載１０
「【００９８】
　（略）上記遮蔽部材９が除去された状態のままで複数の利用者２が同時に複数のディスプレイ２５ａ，２５ｂあるいは２５ａ，２５ｂ，２５ｃ，２５ｄ等に手書き画像等を入力できる第１の動作プログラムと、上記遮蔽部材９が存置された状態のままで複数の利用者２が同時または相前後して複数のディスプレイ２５ａ，２５ｂあるいは２５ａ，２５ｂ，２５ｃ，２５ｄ等に手書き画像等を入力できる第２の動作プログラムとが、写真プリント供給装置を動作させるコンピュータ装置２１に設けられ、上記第１および第２動作プログラムを選択する選択手段が設けられている。」
　記載１１
「【０１０１】
　したがって、上記第１動作プログラムが選択されているときには、遮蔽部材９が除去されているとともに複数のディスプレイ２５ａ，２５ｂあるいは２５ａ，２５ｂ，２５ｃ，２５ｄ等が使用可能とされているので、友達同士の楽しい会話を楽しみながら、あるいは友達の表示画面３０ａ，３０ｂあるいは３０ａ，３０ｂ，３０ｃ，３０ｄ等を覗いたりしながら編集プレイができ、顧客の満足度をより一層高めることができる。また、上記第２動作プログラムが選択されているときには、遮蔽部材９が存置されているとともに複数のディスプレイが使用可能とされているので、見知らない利用者同士のプライバシーを守ることができる。さらに、複数の見知らない利用者２が撮影プレイを順次終了してきても、引続いて複数のディスプレイを用いて同時または相前後して手書き入力等が行なえる。こ
のような手書き入力等の編集プレイは比較的長時間を要するのであるが、複数のディスプレイ２５ａ，２５ｂあるいは２５ａ，２５ｂ，２５ｃ，２５ｄ等の空いている方のディスプレイを使用することにより、利用者２の編集プレイ待ちがなくなって、装置可動の回転率を高めることができる。」
　記載１２
「【０１０３】
　また、この実施の形態においては、第１動作プログラムの下で本装置を利用する複数の利用者は、同じグループの顧客のうちのそれぞれの利用者であり、第２動作プログラムの下で本装置を利用する複数の利用者は、別のグループの見知らない人同士の顧客である。第１動作プログラムでは、撮影終了後に同じ顧客のうちそれぞれの利用者が複数のディスプレイのそれぞれの前に移動し、手書き画像を、特別な電話等の用事がないかぎり、ほぼ同じタイミングで開始する。
【０１０４】
　他方、これに対して、第２動作プログラムでは、撮影終了後にどのディスプレイが空いているかの判定がプログラムの動作状況等からコンピュータ装置２１でなされ、そのディスプレイへのガイド表示や音声案内等により利用者が誘導され、手書き画像等の入力を開始する。つまり、第２動作プログラムでは、複数の利用者が同時に複数のディスプレイで手書き画像等を入力する場合においても、見知らない人同士であることから、入力を開始するタイミングはそれぞれ異なるタイミングとなる。
【０１０５】
　換言すると、第１動作プログラムでは、複数のディスプレイそれぞれにおいて手書き画像等の入力動作が、必ずといえるくらい同時に進行するため、いずれかのディスプレイで手書き入力が動作していない状態はありえない（手書き画像入力開始後、強制的に終了した場合を除く）が、第２動作プログラムでは、複数のディスプレイのうち、手書き画像等の入力動作がされていないディスプレイが存在する場合もある。」
　
（４）補正の適否の検討　
　まず、補正１について検討する。
　補正１に係る「「上記各ディスプレイにおける撮影画像に対する手書き画像の編集入力を可能とする一連の編集プレイ提供処理」を「実行する制御手段」」における「上記各ディスプレイにおける撮影画像に対する手書き画像の編集入力を可能とする」点は、当初明細書において、「複数の利用者が同時に複数のディスプレイに手書き画像等を入力できる」（記載２等）と記載されていることから、実質的に当初明細書に記載されているといえる。
　しかしながら、上記手書き画像の編集入力を可能とする「一連の編集プレイ提供処理」は、当初明細書には、記載されていない。
　また、当初明細書には、上記「一連の編集プレイ提供処理」に相当する一連の処理も記載されていない。してみると、「「上記各ディスプレイにおける撮影画像に対する手書き画像の編集入力を可能とする一連の編集プレイ提供処理」を「実行する制御手段」」は、当初明細書に記載されておらず、また、当初明細書の記載から自明ともいえない。
　したがって、補正１は、当初明細書の記載された事項の範囲内でしたものではない。
　
　次に、補正２及び３について検討する。
　補正２及び３に係る事項は、いずれも補正１の「一連の編集プレイ提供処理」を含むので、同じく、当初明細書の記載された事項の範囲内でしたものではない。
　
　よって、本件補正は、当初明細書の記載された事項の範囲内でしたものではない。
　
　以上のとおり、本件補正は、特許法第１７条の２第３項の規定に違反するので、特許法第１５９条第１項で読み替えて準用する特許法第５３条第１項の規定により却下されるべきものである。
　
[理由２］独立特許要件違反：記載不備
　本件補正により、請求項１において、
（１）制御手段について、補正前の「上記撮影画像と手書き画像を合成して合成画像を生成する合成処理を実行する制御手段」の機能として「上記各ディスプレイにおける撮影画像に対する手書き画像の編集入力を可能とする一連の編集プレイ提供処理」を「実行する」点が付加された。
（２）補正前の「複数のディスプレイのそれぞれに対してほぼ同時に手書き画像入力の受付処理を開始させる第１の動作」を「撮影終了後複数のディスプレイそれぞれの前に移動する同じグループの利用者に対するよう、上記複数のディスプレイのそれぞれに対してほぼ同時に上記一連の編集プレイ提供処理を開始させる第１の動作」と限定された。
（３）補正前の「複数のディスプレイのうちいずれかのディスプレイに対して手書き画像入力の受付処理を開始させる第２の動作」を「撮影終了後複数のディスプレイのうちいずれかのディスプレイに案内により誘導される異なるグループの利用者に対するよう、上記複数のディスプレイのうち案内により誘導されたディスプレイに対して上記一連の編集プレイ提供処理を開始させる第２の動作」と限定された。
（４）補正前の「いずれかを実行可能に」が「いずれかの動作を選択的に実行可能に」と限定された。
　したがって、本件補正は、特許請求の範囲の減縮を目的とするものである。
　そこで、本件補正後の請求項１に係る発明が特許出願の際独立して特許を受けることができるものであるか（特許法第１７条の２第５項において準用する特許法第１２６条第５項の規定に適合するか）について検討する。
　
　請求項１には、「上記各ディスプレイにおける撮影画像に対する手書き画像の編集入力を可能とする一連の編集プレイ提供処理および上記撮影画像と手書き画像を合成して合成画像を生成する合成処理を実行する制御手段」なる記載がされているが、この記載のうち、本件補正により補正された「「上記各ディスプレイにおける撮影画像に対する手書き画像の編集入力を可能とする一連の編集プレイ提供処理」を「実行する制御手段」」について検討する。
　
　上記「２．（１）の補正事項」で述べたように、当初明細書には、「「一連の編集プレイ提供処理」を「実行する制御手段」」について記載されておらず、また、平成１７年４月１４日付けの手続補正、平成１７年１２月２１日付けの手続補正によって補正された願書に添付された明細書の発明の詳細な説明又は図面（以下「補正明細書」という。）にも、同じく「「一連の編集プレイ提供処理」を「実行する制御手段」」が記載されていないばかりか、その説明もなされていない。
（なお、平成１７年７月１２日付けの手続補正は平成１７年９月２８日付けで却下された。）
　してみると、請求項１に記載された「「上記各ディスプレイにおける撮影画像に対する手書き画像の編集入力を可能とする一連の編集プレイ提供処理」を「実行する制御手段」」は、発明の詳細な説明に実質的に記載されたものではないことは明らかである。
　したがって、請求項１に係る発明は、発明の詳細な説明に記載されたものではない。　
　
　また、撮影画像に対する手書き画像の編集入力を可能とするためにどのような一連の処理がＣＰＵ等の制御手段により実行されているのかについて、発明の詳細な説明において、説明されていないので、請求項１に記載された「上記各ディスプレイにおける撮影画像に対する手書き画像の編集入力を可能とする一連の編集プレイ提供処理」の内容が不明であり、上記編集プレイ提供処理を実行する制御手段の構成が不明である。
　さらに、上記「一連の編集プレイ提供処理」を含む請求項１に記載された「第１の動作」及び「第２の動作」の構成も不明である。
　したがって、請求項１に係る発明は、明確であるとはいえない。
　
　以上のことから、本願が、特許法第３６条第６項第１号及び第２号の規定を満たすとはいえず、本願補正発明は、特許出願の際独立して特許を受けることができない。
　よって、本件補正は、特許法第１７条の２第５項で準用する同法１２６条第５項の規定に違反するものであり、特許法第１５９条第１項で読み替えて準用する特許法第５３条第１項の規定により却下されるべきものである。
　
　以上のとおりであるから、本件補正は、特許法第１７条の２第３項の規定に違反し、または、同第５項で準用する同法１２６条第５項の規定に違反するので、特許法第１５９条第１項で読み替えて準用する特許法第５３条第１項の規定により却下されるべきものである。
　
３．本願発明について
　平成１７年１２月２１日付け手続補正手続補正は上記のとおり却下され、また、平成１７年７月１２日付けの手続補正は却下されているので、本願の請求項１に係る発明は、平成１７年４月１４日付けの手続補正により補正された明細書及び図面の記載からみて、特許請求の範囲の請求項１に記載された事項により特定される以下のとおりのものと認める。（以下「本願発明」という。）
「撮影空間の被写体を撮影する撮影手段と、上記撮影空間とは別個に存在させた編集空間に設けられ、上記撮影手段により生成された撮影画像を表示するとともに、使用者により入力された手書き画像を受け付ける複数のディスプレイと、上記撮影画像と手書き画像を合成して合成画像を生成する合成処理を実行する制御手段と、上記合成画像を印刷媒体に印刷して写真プリントとして出力するプリンタとを備え、上記制御手段は、上記複数のディスプレイのそれぞれに対してほぼ同時に手書き画像入力の受付処理を開始させる第１の動作と、上記複数のディスプレイのうちいずれかのディスプレイに対して手書き画像入力の受付処理を開始させる第２の動作とのいずれかを実行可能に構成されていることを特徴とする写真プリント供給装置。」
　
４．引用刊行物に記載された発明
　原査定の拒絶の理由に引用され、本願の出願前に頒布された特許第３１９６８９７号公報（以下「引用刊行物１」という。）には、「画像印刷装置および方法、印刷媒体作成方法および方法、印刷媒体、並びに記録媒体」の発明に関して、以下の事項が記載されている。
＜記載事項１＞
「【請求項１７】  被写体を撮影する撮影手段と、
前記撮影手段により撮影された前記被写体の画像を複数の表示画面に表示する表示手段と、前記表示手段により前記複数の表示画面に表示されたそれぞれの前記画像に対して入力された編集入力を受け付ける受付手段と、前記受付手段により受け付けられた前記編集入力に基づいて、前記複数の表示画面に表示された前記画像を編集する編集手段と、前記編集手段により編集された前記複数の表示画面に表示された前記画像を所定の印刷媒体に印刷する印刷手段と、前記印刷手段により、前記複数の表示画面に表示された前記画像が印刷された前記印刷媒体を排出する排出手段とを備えることを特徴とする印刷媒体作成装置。」
＜記載事項２＞
「【０００６】本発明はこのような状況に鑑みてなされたものであり、多くの利用者が、編集入力を迅速かつ効率的に入力することができるようにするものである。」
＜記載事項３＞
「【０００８】撮影手段は、例えば、図１のCCDカメラ１５により、第１の表示手段は、例えば、図１の操作パネル１３−１の位置に設けられている図２のモニタ３９−１により、受付手段は、例えば、図１の操作パネル１３−１の位置に設けられている図２のタッチパネル３８−１により、編集手段は、例えば、図４のステップS１４の処理を実行する図２のCPU３１により、印刷手段は、例えば、図２のプリンタ３６により、それぞれ構成される。
【０００９】本発明の画像印刷装置においては、被写体が撮影され、撮影された被写体の画像が表示され、表示された画像に対して入力された編集入力が受け付けられる。また、受け付けられた編集入力に基づいて画像が編集され、編集された画像が印刷される。そして、撮影された画像は、複数設けられている表示画面に表示され、表示されているそれぞれの画像に対する編集がそれぞれの入力部から入力される。」
＜記載事項４＞
「【００４０】筐体１０のほぼ水平（若干上方を向いている）な面１０Cに配置されている操作パネル１３は、液晶ディスプレイまたはCRT（Cathode-Ray Tude）より構成されるモニタと、その上部に積層されるタッチパネルから構成される。操作パネル１３の近傍には、それぞれタッチペン１４が設けられ、CCDカメラ１５により撮影された画像が操作パネル１３に表示されるため、利用者は、タッチペン１４を利用して撮影画像に後述する落書き処理を施すことができる。また、操作パネル１３には、撮影画像の他に、画像プリントの作成および印刷処理の進行段階に応じて種々の選択ボタン、メッセージなどが表示され、操作パネル１３に表示された選択ボタンをタッチペン１４を利用して選択することにより撮影手順が進行される。
【００４１】操作パネル１３−１の近傍にタッチペン１４−１が、また、操作パネル１３−２の近傍にはタッチペン１４−２が、それぞれ設けられており、操作パネル１３−１および操作パネル１３−２のそれぞれに表示された撮影画像に、２人の利用者が同時に落書き処理などを入力することができる。なお、操作パネル１３−１と操作パネル１３−２に、異なる撮影画像をそれぞれ表示させることができ、利用者は、別々の撮影画像に対して落書き処理などを入力することもできる。」
＜記載事項５＞
「【００４５】図２は、画像印刷装置１の構成例を示すブロック図である。なお、図１と対応する部分には、同一の符号を付してある。
【００４６】CPU(Centoral Processing Unit)３１は、ROM(Read Only Memory)３２に記憶されているプログラムに従って、全体の動作、処理を制御する。すなわち、各処理部は、バス３０を介してCPU３１に接続され、制御される。
【００４７】RAM(Random Access Memory)３３は、CPU３１の作業用データを記憶するとともに、各処理部において利用者が行った選択、指示などを一時的に記憶する。
【００４８】ドライバ３４は、図示せぬCD-ROMなどの記録媒体を駆動し、記録情報を読み出す。CD-ROMなどの記録媒体には、撮影処理、落書き処理などを含む種々の処理を行うためのプログラムが記録されており、それらのプログラムは実行時に、RAM３３に転送されて実行される。（略）」
＜記載事項６＞
「【００６８】ステップS８において、表示プロセッサ３７は、CPU３１からの指示に基づいて、操作パネル１３に明るさ調整画面を表示する。操作パネル１３−１には、図１０（A）に示すように、ステップS７の処理で印刷することが選択された撮影画像が表示され、その画像の明るさを調整するとき操作される明るさ調整ボタン５３、シールに加工しないとき操作される写真風ボタン１０１、シールシートにプリントするとき操作されるシール風ボタン１０２、横方向に表示されているキープ画像を縦方向に表示を変更するとき操作される表示切換ボタン５０、表示されている画像を削除して再び撮影するとき操作されるとりなおしボタン１０３、編集対象の画像として残しておくとき操作されるキープボタン１０４が表示されている。」
＜記載事項７＞
　図１には、印刷媒体作成装置の外観が示されている。
　
　そして、上記記載事項から、以下の点が明らか、または、読み取ることができる。
（１）図１の記載から、操作パネル１３−１，１３−２に設けられるモニタは、被写体を撮影する空間と同じ空間に設けられることを読み取ることができる。
（２）「操作パネル１３は、液晶ディスプレイまたはCRT（Cathode-Ray Tude）より構成されるモニタと、その上部に積層されるタッチパネルから構成される。」と「操作パネル１３−１および操作パネル１３−２のそれぞれに表示された撮影画像に、２人の利用者が同時に落書き処理などを入力することができる。」（記載事項４）との記載から、操作パネル１３−１，１３−２のそれぞれのモニタは、利用者により入力された落書きの画像を受け付けることは明らかである。
（３）CPU３１は、ROM(Read Only Memory)３２に記憶されているプログラムに従って、全体の動作、処理を制御する（記載事項６）ので、記載事項１の「複数の表示画面に表示された画像を編集」するのはＣＰＵ３１であることは明らかである。
（４）「複数の利用者が、１つの画像に対して、同時に落書きを入力することができ」、「利用者が、別々の撮影画像に対して落書き処理などを入力することもできる」（記載事項４）ことを実行するのは、ＣＰＵ３１であることは明らかである。
（５）「シールに加工しないとき操作される写真風ボタン１０１」（記載事項６）との記載から、印刷手段から写真プリントとして出力されることは明らかである。
　
　したがって、上記記載事項１乃至７及び図面の記載に基づけば、引用刊行物１には、
「被写体を撮影する撮影手段と、被写体を撮影する空間に設けられ、前記撮影手段により撮影された前記被写体の画像を表示するとともに、利用者により入力された落書きの画像を受け付ける複数のモニタと、
複数の表示画面に表示された画像を編集するＣＰＵ３１と、編集された画像を所定の印刷媒体に印刷し写真プリントとして出力する印刷手段とを備え、ＣＰＵ３１により、複数の利用者が、１つの画像に対して、同時に落書きを入力することができ、または、利用者が、別々の撮影画像に対して落書き処理などを入力することもできることを特徴とする印刷媒体作成装置。」の発明（以下「引用発明」という。）が記載されている。
　　
　また、同じく原査定の拒絶の理由に引用され、本願の出願前に頒布された特開２００２−２６２２８５号公報（以下「引用刊行物２」という。）には、「画像印刷装置および方法、並びにプログラム」の発明に関して、以下の事項が記載されている。
「【請求項１】  被写体を撮影する撮影手段と、前記撮影手段により撮影された前記被写体の画像を表示する第１の表示手段と、前記第１の表示手段による表示に基づき、編集対象の画像として前記被写体の画像を表示し、編集入力を受け付ける第２の表示手段とを備え、
前記第１の表示手段により表示される前記被写体の画像を撮影する撮影空間と、前記第２の表示手段により表示される前記被写体の画像を編集する編集空間とが異なる位置に設けられることを特徴とする画像印刷装置。」
　
５．対比
　引用発明の「被写体」は本願発明の「撮影空間の被写体」に相当し、以下同様に、「撮影空間」は「被写体を撮影する空間」に、「撮影された」は「生成された」に、「前記被写体の画像」は「撮影画像」に、「利用者」は「使用者」に、「落書きの画像」は「手書き画像」に、「モニタ」は「ディスプレイ」に、「表示画面に表示された画像を編集する」は「撮影画像と手書き画像を合成して合成画像を生成する合成処理」に、「ＣＰＵ３１」は「制御手段」に、「編集された画像」は「合成画像」に、「印刷手段」は「プリンタ」に、それぞれ相当する。
　また、引用発明の対象である「印刷媒体作成装置」は本願発明の対象である「写真プリント供給装置」に相当する。
　　
　したがって、両者は、
「撮影空間の被写体を撮影する撮影手段と、上記撮影手段により生成された撮影画像を表示するとともに、使用者により入力された手書き画像を受け付ける複数のディスプレイと、上記撮影画像と手書き画像を合成して合成画像を生成する合成処理を実行する制御手段と、上記合成画像を印刷媒体に印刷して写真プリントとして出力するプリンタとを備えたことを特徴とする写真プリント供給装置。」の点で一致するが、以下の点で相違する。
[相違点１]
　複数のディスプレイが、本願発明は、記撮影空間とは別個に存在させた編集空間に設けられているのに対して、引用発明は、被写体を撮影する空間に設けられている点。
 [相違点２]
　本願発明は、制御手段が、複数のディスプレイのそれぞれに対してほぼ同時に手書き画像入力の受付処理を開始させる第１の動作と、複数のディスプレイのうちいずれかのディスプレイに対して手書き画像入力の受付処理を開始させる第２の動作とのいずれかを実行可能に構成されているのに対して、引用発明は、制御手段により、複数の利用者が、１つの画像に対して、同時に落書きを入力することができ、または、利用者が、別々の撮影画像に対して落書き処理などを入力することもできる点。
　　
６．当審の判断
（１）相違点１
　引用刊行物２には、被写体の画像を撮影する撮影空間と、前記被写体の画像を編集する編集空間とが異なる位置に設けられた画像印刷装置が記載されているので、相違点１に係る発明特定事項は、引用刊行物２の記載に基づいて当業者が容易に想到し得るものである。
　
（２）相違点２
　引用発明は、制御手段により、複数の利用者が、１つの画像に対して、同時に落書きを入力することができ、または、利用者が、別々の撮影画像に対して落書き処理などを入力することもできるので、引用発明から、複数のディスプレイのそれぞれに対してほぼ同時に手書き画像入力の受付処理を開始させる第１の動作と、複数のディスプレイのうちいずれかのディスプレイに対して手書き画像入力の受付処理を開始させる第２の動作とのいずれかを実行可能に構成されていることを、当業者ならば読み取ることができる。
　したがって、相違点２に係る発明特定事項は、格別なものとはいえない。
　
　そして、本願発明の効果は、引用刊行物１乃至２の記載から当業者が予測し得る範囲内のものである。
　
７．むすび
　以上のとおり、本願発明は、引用刊行物１乃至２に記載された発明に基づいて当業者が容易に発明することができたものであるから、特許法第２９条第２項の規定により特許を受けることができない。
　　
　よって、結論のとおり審決する。